(57)【要約】  【課題】  比較的簡単な構造でシートフレームの溶接部との接触によるシートベルトの摩耗を確実に防止し、信頼性の高い車両用シートを提供する。  【解決手段】  シートベルト装着時に当該シートベルトが当接する部位に設けられる車両用シートの保護カバーであって、前記保護カバーは、シートフレームの溶接部を覆うように設けられ、第１のカバーと、前記第１のカバーと異なる第２のカバーの少なくとも２つのカバーからなり、前記第１のカバーの一部を前記第２のカバーの内側に挿入することで、前記第１のカバーと前記第２のカバーを嵌合させることを特徴とする。【選択図】  図２
2018016211.tif 000002
【特許請求の範囲】
【請求項１】
シートベルト装着時に当該シートベルトが当接する部位に設けられる車両用シートの保護カバーであって、
前記保護カバーは、シートフレームの溶接部を覆うように設けられ、
第１のカバーと、前記第１のカバーと異なる第２のカバーの少なくとも２つのカバーからなり、
前記第１のカバーの一部を前記第２のカバーの内側に挿入することで、前記第１のカバーと前記第２のカバーを嵌合させることを特徴とする車両用シートの保護カバー。
【請求項２】
請求項１に記載の車両用シートの保護カバーであって、
前記第１のカバーは、前記車両用シートのサイドフレームを覆うアームカバーであり、
前記第２のカバーは、前記車両用シートのリクライニング部を覆うリクライニングカバーであることを特徴とする車両用シートの保護カバー。
【請求項３】
請求項１または２に記載の車両用シートの保護カバーであって、
前記第１のカバーは、樹脂により形成されていることを特徴とする車両用シートの保護カバー。
【請求項４】
請求項１から３のいずれか１項に記載の車両用シートの保護カバーであって、
前記溶接部は、前記シートフレームを構成するパイプとブラケットを接合する溶接部であることを特徴とする車両用シートの保護カバー。
【発明の詳細な説明】
【技術分野】
【０００１】
本発明は、車両用シートに係り、特に、シートベルトの摩耗を確実に防止するのに有効な車両用シートの保護カバーに関する。
【背景技術】
【０００２】
自動車シートなどの車両用シートに設けられているシートベルトは、腰ベルトと肩ベルトによる３点式シートベルトが現在の主流であり、装着時はバネ式の巻き取り装置（リトラクター）により常に一定のテンション（張力）が掛かった状態になっている。また、車両の衝突時や衝突を回避しようとブレーキを掛けたりハンドルを切ったりする際に乗員に大きな慣性力が加わるが、シートベルトで乗員をシートに固定しているため、その慣性力もシートベルトに掛かることになる。
【０００３】
３点式シートベルトは、腰ベルトを乗員の腰の両脇で固定し、さらに肩ベルトを一方の腰の脇と反対側の肩の上部で固定するが、特定の条件が重なった場合に、腰ベルトの一部がシートの骨格材（シートフレーム）と接触する可能性が考えられる。
【０００４】
本技術分野の背景技術として、例えば、特許文献１のような技術がある。特許文献１には、「シートクッションの後端でシートバックを前後傾動可能に支持するリクライニング機構を覆うように取付けられ、リクライニング機構のアームが前後にガイドされる切欠部が上部に形成され、該切欠部とアームとの間隙を被覆する柔軟性を有するカバー部材が前記切欠部に設けられたリクライニング機構のフィニッシャーカバー」が開示されている。
【０００５】
また、特許文献２には、「クッションシートのシートベルト取付け側において、クッションパッドを部分的に切り欠いたリトラクタ収納スペースを備える自動車に使用される補助シート」が開示されている。
【先行技術文献】
【特許文献】
【０００６】
【特許文献１】特許第２７８５６８１号公報
【特許文献２】実開平１−６５７２７号公報
【発明の概要】
【発明が解決しようとする課題】
【０００７】
上述したように、３点式シートベルトは装着時に常にテンション（張力）が掛かっているため、特定の条件が重なり、腰ベルトの一部がシートフレームと接触して、その接触部分が骨格材の溶接部（溶接ビード）である場合、長期に渡る使用によりシートベルトが溶接ビードとの摩擦により磨耗する可能性が考えられる。
【０００８】
また、衝突時の衝撃やブレーキやハンドル操作により大きな慣性力がシートベルトに加わった場合に、溶接ビードとの摩擦により磨耗することも考えられ、シートベルトの信頼性が低下する可能性がある。
【０００９】
上記特許文献１や特許文献２には、上記のようなシートベルトとシートフレームの溶接部の接触による課題やその解決手段に関する記載はない。
【００１０】
そこで、本発明の目的は、比較的簡単な構造でシートフレームの溶接部との接触によるシートベルトの摩耗を確実に防止し、信頼性の高い車両用シートを提供することにある。
【課題を解決するための手段】
【００１１】
上記課題を解決するために、本発明は、シートベルト装着時に当該シートベルトが当接する部位に設けられる車両用シートの保護カバーであって、前記保護カバーは、シートフレームの溶接部を覆うように設けられ、第１のカバーと、前記第１のカバーと異なる第２のカバーの少なくとも２つのカバーからなり、前記第１のカバーの一部を前記第２のカバーの内側に挿入することで、前記第１のカバーと前記第２のカバーを嵌合させることを特徴とする。
【発明の効果】
【００１２】
本発明によれば、比較的簡単な構造でシートフレームの溶接部との接触によるシートベルトの摩耗を確実に防止し、信頼性の高い車両用シートを実現できる。
【００１３】
上記した以外の課題、構成及び効果は、以下の実施形態の説明により明らかにされる。
【図面の簡単な説明】
【００１４】
【図１】本発明の一実施形態に係る車両用シートの要部を示す斜視図である。
【図２】図１におけるＣ−Ｃ’矢視図（背面図）である。
【図３】図２におけるＥ−Ｅ’断面図である。
【図４】従来の車両用シートの課題を示す図である。
【図５】図４におけるＡ部拡大図である。
【図６】図５におけるＢ−Ｂ’矢視図（背面図）である。
【発明を実施するための形態】
【００１５】
以下、図面を用いて本発明の実施例を説明する。なお、各図面において、同一の構成については同一の符号を付し、重複する部分についてはその詳細な説明は省略する。
【実施例１】
【００１６】
先ず、図４から図６を参照して、従来の車両用シートの課題について説明する。図４は乗員が車両用シート１に着座し、３点式のシートベルト５を装着した状態を示している。図５は図４のＡ部拡大図であり、シートベルト５の腰ベルトの固定点付近の様子を示している。また、図６は図５のＢ−Ｂ’方向からの矢視図であり、図５を裏面側（背面側）から見た図である。
【００１７】
なお、以下で説明する内容は、シートの構造上、主に自動車のサードシート（バンタイプの３列目のシート等）での問題点を想定しているが、本実施例はこれに限定されるものではなく、車両の構造によっては、フロントシート（運転席および助手席）やセカンドシート（２列目のリアシート）なども対象となり得る。
【００１８】
図４に示すように、一般的な車両用シート１は、乗員の着座面となるシートクッション２、シートクッション２の背側に設けられて乗員の背もたれとなるシートバック３、シートバック３の上部に設けられて乗員の頭部および頸部を保護するヘッドレスト４から構成されている。車両用シート１のシートクッション２に着座した乗員は、３点式のシートベルト５を引き延ばして腰ベルトと肩ベルトで自身の腰部および上半身を車両用シート１に固定するように装着する。この際、シートの構造によっては、特定の条件が重なった場合に、シートとシートベルトの一部が接触する箇所（図４のＡ部）が生じる可能性が考えられる。
【００１９】
図５および図６を用いて、シートとシートベルトの接触部分について詳しく説明する。Ａ部には、シートの骨格材であるシートフレーム６が配置されており、シートフレーム６の一部を構成するパイプ７やブラケット８が溶接により接合されている。シートフレーム６やパイプ７、ブラケット８は、乗員の荷重を支えるため、主に鉄材などの剛性の高い金属が用いられており、それらを組み合せてシートフレームを形成する際に接合部分に溶接が施される。
【００２０】
シートフレーム６には、図示しないリクライニング機構を介して、シートバック３が取り付けられている。リクライニング機構は可動部であるため、異物混入を防ぐためリクラニングカバー１１で覆われている。
【００２１】
また、シートフレーム６には、ブラケット８を介して、図示しないアームレストの骨格材などのサイドフレームが溶接により接合されており、そのサイドフレームを覆うようにアームカバー９や、さらにその外側にアウターカバー１０が設けられている。
【００２２】
シートの構造によっては、シートベルト５を装着した際に、特定の条件が重なった場合、アームカバー９とリクライニングカバー１１の間の隙間のシートフレームとシートベルト５が接触する接触部１２が生じる。この接触部１２のシートフレームに溶接部（溶接ビード）が形成されている場合、上述したように、長期に渡る使用によりシートベルトが溶接ビードとの摩擦により磨耗したり、衝突時の衝撃やブレーキやハンドル操作により大きな慣性力がシートベルトに加わった場合に溶接ビードとの摩擦により磨耗して、シートベルトの信頼性が低下する可能性がある。
【００２３】
また、アームカバー９やリクライニングカバー１１などの保護カバーは、一般に樹脂製であることが多く、長期の使用により、アームカバー９やリクライニングカバー１１が変形してしまい、アームカバー９とリクライニングカバー１１の間の隙間のシートフレームとシートベルト５がさらに接触しやすくなるといった問題もある。
【００２４】
次に、図１から図３を参照して、本実施例の車両用シートの保護カバーとそれを用いた車両用シートについて説明する。図１は図４のＡ部拡大図であり、従来のシート構造を示す図５に対応する図である。図２は図１のＣ−Ｃ’方向からの矢視図であり、図１を裏面側（背面側）から見た図である。図２は従来のシート構造を示す図６に対応する図である。また、図３は図２のＥ−Ｅ’断面を示しており、アームカバー９とリクライニングカバー１１の位置関係の詳細を示している。なお、図１から図３では、本実施例の構造がより分かりやすいように、シートベルトを省略している。
【００２５】
図１に示すように、本実施例の車両用シートは、基本的な構成は図５および図６に示す従来の車両用シートと同じであるが、図１のＤ部において、アームカバー９の一部がリクライニングカバー１１の内側に挿入できるように、パイプ７に沿う方向に延在して設けられている。つまり、アームカバー９の一部がベロ状に延長されており、リクライニングカバー１１の内側に挿入できる構造となっている。図１はシートを上面側から見た図であり、図２は裏面側（背面側）から見た図であるが、いずれにおいてもアームカバー９の一部（ベロ）がリクライニングカバー１１の内側に挿入される構造となっている。
【００２６】
このように、アームカバー９の一部を延長してシートフレームの溶接部（溶接ビード）を保護し、さらにその延長したアームカバー９の一部（ベロ）をリクライニングカバー１１の内側に挿入することで、アームカバー９とリクライニングカバー１１の間の隙間のシートフレームとシートベルトが接触するのを確実に防止することができる。
【００２７】
例えば、アームカバー９を樹脂で形成し、その一部をベロ状に延長するのみでは、長期の使用によりベロ状の部分が反って変形してしまい、アームカバー９が溶接部（溶接ビード）覆いきれずに、シートベルトと溶接部（溶接ビード）が接触してしまう恐れがあるが、図３のように、アームカバー９に対向して設けられるリクライニングカバー１１の内側（下側）にアームカバー９の一部（ベロ）を挿入して固定することで、アームカバー９の浮き上がり（反り上がり）を抑制し、シートベルトと溶接部（溶接ビード）の接触を確実に防止することができる。
【００２８】
なお、図１および図２では、アームカバー９の一部（ベロ）が上面側と裏面側（背面側）に渡って設けられている例を説明したが、シートベルトの配置によっては、アームカバー９の一部（ベロ）を上面側にのみ設けて、リクライニングカバー１１の内側（下側）に挿入する構造としてもよい。
【００２９】
また、上記では、アームカバー９とリクライニングカバー１１の両方が樹脂により形成される場合を想定して説明したが、リクライニングカバー１１を例えばステンレス鋼などの金属で形成し、アームカバー９を樹脂で形成する場合でも、アームカバー９の一部（ベロ）をステンレス製のリクライニングカバー１１の内側（下側）に挿入することで、樹脂製のアームカバー９の浮き上がり（反り上がり）を抑制し、シートベルトと溶接部（溶接ビード）の接触を防止することができる。
【００３０】
また、上記の実施例では、主に自動車のサードシート（バンタイプの３列目のシート）での問題点を想定して説明しているが、これは、サードシートの場合、両脇に自動車のホイールハウスが配置される場合が多く、シートベルトの固定点（アンカーポイント）がフロントシートやセカンドシートに比べて後方に位置することになり、特定の条件が重なった場合に、シートベルトとシートフレームが接触しやすい構造となるためである。
【００３１】
従って、車両の構造によっては、フロントシート（運転席および助手席）やセカンドシート（２列目のリアシート）などにも本実施例の保護カバーを適用することにより、アームカバー９とリクライニングカバー１１の間の隙間のシートフレームとシートベルトが接触するのを確実に防止することができる。
【００３２】
また、接触部１２のシートフレーム６に溶接部（溶接ビード）が形成されていない場合であっても、シートベルトが金属製のシートフレーム６と長期に渡って接触することで、摩擦によりシートベルトが磨耗する可能性があるため、本実施例で説明したアームカバー９とリクライニングカバー１１からなる保護カバーを適用することで、車両用シートの信頼性を向上することができる。
【００３３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３４】
１…車両用シート、２…シートクッション、３…シートバック、４…ヘッドレスト、５…シートベルト、６…シートフレーム、７…パイプ、８…ブラケット、９…アームカバー、１０…アウターカバー、１１…リクライニングカバー、１２…接触部。
【図１】
2018016211.tif 000003
【図２】
2018016211.tif 000004
【図３】
2018016211.tif 000005
【図４】
2018016211.tif 000006
【図５】
2018016211.tif 000007
【図６】
2018016211.tif 000008